(57)【要約】【課題】大気汚染に関する情報を簡易に取得可能な情報システムを提供する。【解決手段】情報システム１は、サーバ装置１００と複数の空気清浄機２００ａ，２００ｂ，２００ｃ，２００ｄとを備える。各空気清浄機２００ａ，２００ｂ，２００ｃ，２００ｄは、空気の汚れ度合いを検出し、かつ検出結果をサーバ装置１００に送信する。サーバ装置１００は、検出結果を空気清浄機２００ａ，２００ｂ，２００ｃ，２００ｄの識別情報に関連付けて管理する。【選択図】図１
2018132989.tif 000002
【特許請求の範囲】
【請求項１】
サーバ装置と複数の空気清浄機とを備えた情報システムであって、
各前記空気清浄機は、空気の汚れ度合いを検出し、かつ前記検出結果を前記サーバ装置に送信し、
前記サーバ装置は、前記検出結果を前記空気清浄機の識別情報に関連付けて管理する、情報システム。
【請求項２】
前記サーバ装置は、
前記複数の空気清浄機の中から、前記空気の汚れ度合いが予め定められた基準を超える前記空気清浄機を特定し、
特定された前記空気清浄機のユーザによって事前に登録された電子機器に対して、予め定められた通知を送信する、請求項１に記載の情報システム。
【請求項３】
前記サーバ装置は、
各前記空気清浄機の設置位置を表す位置情報を取得し、
前記検出結果を前記位置情報にさらに関連付けて管理する、請求項１または２に記載の情報システム。
【請求項４】
前記サーバ装置は、
前記検出結果に基づいて、屋内の空気の汚染状況を表した汚染マップを作成し、
予め定められた情報処理装置に対して、作成された前記汚染マップを送信する、請求項３に記載の情報システム。
【請求項５】
各前記空気清浄機は、臭気センサと埃センサとを有し、
前記サーバ装置は、前記検出結果として、前記臭気センサによる検出結果と前記埃センサによる検出結果とを、各前記空気清浄機から受信する、請求項４に記載の情報システム。
【請求項６】
前記サーバ装置は、
前記空気清浄機が備えられた室内の外に設置され、かつ大気汚染の状態を測定するセンサから、前記大気汚染の測定結果を受信し、
前記複数の空気清浄機の中から、前記検出結果が前記測定結果よりも基準値以上高い前記空気清浄機を特定する、請求項３から５のいずれか１項に記載の情報システム。
【請求項７】
各前記空気清浄機は、予め定められた周期で、前記検出結果を前記サーバ装置に送信し、
前記複数の空気清浄機の少なくとも１つは、前記検出結果が予め定められた閾値を超えると、前記予め定められた周期の到来を待たずに、前記検出結果を前記サーバ装置に送信する、請求項１から６のいずれか１項に記載の情報システム。
【請求項８】
空気の汚れ度合いを各々が検出する複数の空気清浄機から、前記検出結果を受信する受信手段と、
前記検出結果を前記空気清浄機の識別情報に関連付けて管理する管理手段とを備える、サーバ装置。
【発明の詳細な説明】
【技術分野】
【０００１】
本発明は、情報システムおよびサーバ装置に関する。
【背景技術】
【０００２】
従来、大気環境をモニタリングするシステムが知られている。たとえば、特許文献１には、このようなシステムとして、複数項目の大気の汚染状況を測定する１以上の可搬自立型マルチセンシング端末ユニットと、このマルチセンシング端末ユニットを無線または有線のネットワーク経由で遠隔制御して複数項目の大気の汚染状況を測定し、かつ測定データを収集して表示する計算機とを備えたマルチセンシング大気環境モニタリングシステム装置が開示されている。また、可搬自律マルチセンシング端末ユニットは、主として、沿道や交差点等の直近に配置される。
【先行技術文献】
【特許文献】
【０００３】
【特許文献１】特開２００３−２８１６７１号公報
【発明の概要】
【発明が解決しようとする課題】
【０００４】
特許文献１のようなシステムでは、大気汚染をモニタリングするには、システムの運用者は、専用の端末ユニットを数多く購入し、かつ全国各地に設置する必要がある。また、端末ユニットを国有地または公有地に設置することになるため、システムの運用者は、国または地方公共団体に端末ユニットの設置許可をとる必要がある。このように、特許文献１に記載のシステムを構築するのは、容易ではない。
【０００５】
本発明は、上記の問題点に鑑みなされたものであって、その目的は、大気汚染に関する情報を簡易に取得可能な情報システムおよびサーバ装置を提供することにある。
【課題を解決するための手段】
【０００６】
本発明のある局面に従うと、情報システムは、サーバ装置と複数の空気清浄機とを備える。各空気清浄機は、空気の汚れ度合いを検出し、かつ検出結果をサーバ装置に送信する。サーバ装置は、検出結果を空気清浄機の識別情報に関連付けて管理する。
【０００７】
好ましくは、サーバ装置は、複数の空気清浄機の中から、空気の汚れ度合いが予め定められた基準を超える空気清浄機を特定する。サーバ装置は、特定された空気清浄機に予め定められた報知を実行させる。
【０００８】
好ましくは、サーバ装置は、複数の空気清浄機の中から、空気の汚れ度合いが予め定められた基準を超える空気清浄機を特定する。サーバ装置は、特定された空気清浄機のユーザによって事前に登録された電子機器に対して、予め定められた通知を送信する。
【０００９】
好ましくは、サーバ装置は、各空気清浄機の設置位置を表す位置情報を取得する。サーバ装置は、検出結果を位置情報にさらに関連付けて管理する。
【００１０】
好ましくは、サーバ装置は、検出結果に基づいて、屋内の空気の汚染状況を表した汚染マップを作成する。サーバ装置は、予め定められた情報処理装置に対して、作成された汚染マップを送信する。
【００１１】
好ましくは、サーバ装置は、検出結果に基づいて、屋外の空気の汚染状況を表した汚染マップを作成する。サーバ装置は、予め定められた情報処理装置に対して、作成された汚染マップを送信する。
【００１２】
好ましくは、サーバ装置は、地域毎の風の情報をさらに取得する。サーバ装置は、風の情報と検出結果とに基づいて、予め定められた時間が経過した後の屋外の空気の汚染状況を表したと予測マップをさらに作成する。
【００１３】
好ましくは、各空気清浄機は、臭気センサと埃センサとを有する。サーバ装置は、検出結果として、臭気センサによる検出結果と埃センサによる検出結果とを、各空気清浄機から受信する。
【００１４】
好ましくは、サーバ装置は、汚染マップとして、臭気に関する汚染状況を表したマップと、埃に関する汚染状況を表したマップとを作成する。
【００１５】
好ましくは、サーバ装置は、地域毎の大気汚染の測定結果を記憶している他のサーバ装置から測定結果を取得する。サーバ装置は、複数の空気清浄機の中から、検出結果が測定結果よりも基準値以上高い空気清浄機を特定する。
【００１６】
好ましくは、サーバ装置は、空気清浄機が備えられた室内の外に設置され、かつ大気汚染の状態を測定するセンサから、大気汚染の測定結果を受信する。サーバ装置は、複数の空気清浄機の中から、検出結果が測定結果よりも基準値以上高い空気清浄機を特定する。
【００１７】
好ましくは、各空気清浄機は、予め定められた周期で、検出結果をサーバ装置に送信する。複数の空気清浄機の少なくとも１つは、検出結果が予め定められた閾値を超えると、予め定められた周期の到来を待たずに、検出結果をサーバ装置に送信する。
【００１８】
本発明の他の局面に従うと、サーバ装置は、空気の汚れ度合いを各々が検出する複数の空気清浄機から、検出結果を受信する受信手段と、検出結果を空気清浄機の識別情報に関連付けて管理する管理手段とを備える。
【００１９】
本発明のさらに他の局面に従うと、情報処理方法は、空気の汚れ度合いを各々が検出する複数の空気清浄機から、サーバ装置が検出結果を取得するステップと、サーバ装置が、検出結果を空気清浄機の識別情報に関連付けて管理するステップとを備える。
【発明の効果】
【００２０】
本発明によれば、大気汚染に関する情報を簡易に取得可能となる。
【図面の簡単な説明】
【００２１】
【図１】本実施の形態に係る情報システムの概略構成を表した図である。
【図２】空気清浄機の典型的なハードウェア構成を説明するためのブロック図である。
【図３】サーバ装置の典型的なハードウェア構成を説明するためのブロック図である。
【図４】サーバ装置において管理されているデータテーブルの典型例を表した図である。
【図５】埃汚染マップの一例を示した図である。
【図６】サーバ装置の機能的構成を表したブロック図である。
【図７】ある局面において情報システムで実行される処理の流れを説明するためのシーケンス図である。
【図８】他の形態に係る情報システムの概略構成を表した図である。
【図９】他の形態に係る情報システムの概略構成を表した図である。
【発明を実施するための形態】
【００２２】
以下、図面を参照しつつ、本発明の各実施の形態について説明する。以下の説明では、同一の部品には同一の符号を付してある。それらの名称および機能も同じである。したがって、それらについての詳細な説明は繰り返さない。
【００２３】
［実施の形態１］
＜Ａ．システム構成＞
図１は、本実施の形態に係る情報システム１の概略構成を表した図である。図１を参照して、情報システム１は、サーバ装置１００と、複数の空気清浄機２００ａ，２００ｂ，２００ｃ，２００ｄ，…と、複数のスマートフォン４００ａ，４００ｂ，４００ｄ，…とを備えている。
【００２４】
なお、空気清浄機の台数およびスマートフォンの台数は、説明の便宜上、それぞれ、４台，３台としているが、これに限定されるものではない。典型的には、情報システム１は、数十万台、数百万台、あるいは数千万台等の空気清浄機を含んで構成され得る。
【００２５】
各空気清浄機２００ａ，２００ｂ，２００ｃ，２００ｄ，…は、無線通信機能を有する。空気清浄機２００ａは、無線ルータ３００ａおよびネットワーク７００を介して、サーバ装置１００に通信可能に接続されている。同様に、空気清浄機２００ｂ，２００ｃ，２００ｄは、それぞれ、個別に設けられた無線ルータ３００ｂ，３００ｃ，３００ｄと、ネットワーク７００とを介して、サーバ装置１００に通信可能に接続されている。
【００２６】
空気清浄機２００ａ，２００ｂ，２００ｃ，２００ｄは、それぞれ、建物８００ａ，８００ｂ，８００ｃ，８００ｄに設置されている。また、無線ルータ３００ａ，３００ｂ，３００ｃ，３００ｄは、それぞれ、建物８００ａ，８００ｂ，８００ｃ，８００ｄに設置されている。
【００２７】
図１においては、スマートフォン４００ａ，４００ｂ，４００ｄが、それぞれ、基地局９００ａのセル内、基地局９００ｂのセル内、基地局９００ｄのセル内に位置している状態を表している。なお、スマートフォン４００ｄは、建物９００ｄの外に位置している。
【００２８】
図１の状態においては、スマートフォン４００ａ，４００ｂは、それぞれ、基地局９００ａ，９００ｂを介してサーバ装置１００と通信可能である。また、スマートフォン４００ａ，４００ｂは、それぞれ、個別に設けられた無線ルータ３００ａ，３００ｂと、ネットワーク７００とを介して、サーバ装置１００と通信可能である。スマートフォン４００ｄは、基地局９００ｄを介してサーバ装置１００と通信可能である。
【００２９】
各空気清浄機２００ａ，２００ｂ，２００ｃ，２００ｄ，…は、空気の汚れ度合いを検出し、かつ当該検出結果をサーバ装置１００に送信する。典型的には、各空気清浄機２００ａ，２００ｂ，２００ｃ，２００ｄ，…は、予め設定された周期Ｔｄで、検出結果をサーバ装置１００に送信する。また、周期Ｔｄがサーバ装置１００からの指示によって変更可能なように、情報システム１を構成してもよい。
【００３０】
サーバ装置１００は、複数の空気清浄機２００ａ，２００ｂ，２００ｃ，２００ｄ，…から、空気の汚れ度合いの情報を受信する。サーバ装置１００は、上記検出結果を空気清浄機２００ａ，２００ｂ，２００ｃ，２００ｄ，…の識別情報（ＩＤ）に関連付けて管理する。サーバ装置１００は、これらの情報（ビッグデータ）を活用して、各種の処理を実行する。これらの処理の具体例については、後述する。
【００３１】
なお、スマートフォン４００ａ，４００ｂ，４００ｄの代わりに、タブレット端末、携帯型電話機、パーソナルコンピュータ等の通信可能な電子機器を用いて情報システム１を構成してもよい。このような電子機器は、可搬型であってもよいし、据置型であってもよい。電子機器は、通信機能および情報の表示機能を有している機器であれば、特に限定されない。
【００３２】
また、上記においては、各空気清浄機２００ａ，２００ｂ，２００ｃ，２００ｄが無線通信機能を有する構成を例に挙げて説明したが、各空気清浄機２００ａ，２００ｂ，２００ｃ，２００ｄが有線にてネットワーク７００に接続する構成であってもよい。
【００３３】
＜Ｂ．ハードウェア構成＞
図２は、空気清浄機２００ａの典型的なハードウェア構成を説明するためのブロック図である。
【００３４】
図２を参照して、空気清浄機２００ａは、制御装置２１０と、操作パネル２１１と、臭気センサ２１２と、埃センサ２１３と、スピーカ２１４と、マイク２１５と、通信インターフェイス２１６と、駆動回路２１７と、ファン２１８とを備えている。さらに、空気清浄機２００ａは、図示しない、温度センサ、湿度センサ、および人感センサを備えている。
【００３５】
制御装置２１０は、空気清浄機２００ａの全体的な動作を制御する。制御装置２１０は、制御装置２１０内のメモリに組み込まれたプログラムを実行することにより、各種の動作を実行する。制御装置２１０には、操作パネル２１１と、臭気センサ２１２と、埃センサ２１３と、スピーカ２１４と、マイク２１５と、通信インターフェイス２１６と、駆動回路２１７とが電気的に接続されている。
【００３６】
操作パネル２１１は、各種の操作ボタンおよび表示部を含んでいる。操作パネル２１１は、たとえば、電源オン、電源オフ、風量調整等のユーザ操作を受ける。また、操作パネル２１１は、空気の汚れ度合いを表示する。
【００３７】
臭気センサ２１２および埃センサ２１３は、空気の汚れ度合いを検出するためのセンサである。
【００３８】
臭気センサ２１２は、空気の汚れの原因となるガス（粒子）の濃度を検出する。臭気センサ２１２は、典型的には、アンモニア、ホルムアルデヒト、一酸化炭素等の空気中の濃度を検出する。臭気センサ２１２は、検出結果を制御装置２１０に送る。なお、空気清浄機においては、検出するガスの種類に応じて、複数の臭気センサが設けられていてもよい。
【００３９】
臭気センサ２１２では、金属酸化物半導体を材料とするセンサーの表面にニオイ分子が吸着すると、電気伝導率が高くなり、抵抗値が低下する。臭気センサ２１２は、この電気抵抗値の変化を検知して、臭い物質の濃度を判定している。なお、臭気の測定は、このような測定方法に限定されるものではない。
【００４０】
埃センサ２１３は、空気の汚れの原因となる埃の量を検出することにより、埃の濃度を検出する。典型的には、埃センサ２１３は、花粉、２．５μｍ以下の微小粒子状物質（ＰＭ２．５）等の空気中の濃度を、発行素子と受光素子とを用いて検出する。埃センサ２１３は、検出結果を制御装置２１０に送る。
【００４１】
制御装置２１０は、臭気センサ２１２による検出結果と、埃センサ２１３による検出結果とを、制御装置２１０内のメモリに記憶する。つまり、制御装置２１０は、空気の汚れの原因となる物質の濃度を逐次記憶する。
【００４２】
なお、臭気センサ２１２が濃度そのものではなく、臭いの強弱（臭いレベル）を数値として制御装置２１０に通知する構成であってもよい。また、埃センサ２１３についても、濃度そのものではなく、埃の多さ（レベル）を数値として制御装置２１０に通知する構成であってもよい。
【００４３】
スピーカ２１４は、制御装置２１０の制御によって、音声を出力する。出力される音声の例については、後述する。
【００４４】
マイク２１５は、空気清浄機２００ａのユーザが発する音声等を集音する。集音された音声は、制御装置２１０において、音声解析がなされる。マイク２１５は、スピーカ２１４ともに、ユーザとの会話に利用される。
【００４５】
通信インターフェイス２１６は、サーバ装置１００との通信を行なうためのインターフェイスである。
【００４６】
制御装置２１０は、通信インターフェイス２１６を介して、制御装置２１０のメモリに記憶しておいた臭気センサ２１２による検出結果と埃センサ２１３による検出結果とを、周期的にサーバ装置１００に送信する。また、制御装置２１０は、通信インターフェイス２１６を介して、サーバ装置１００から所定の指令を受信する。当該指令については、後述する。
【００４７】
駆動回路２１７は、制御装置２１０の指令に基づき、ファン２１８を回転させる。
ファン２１８は、空気清浄機２００ａの筐体内に設けられている。ファン２１８が回転することにより、室内の空気が背面の吸入口および複数のフィルタ（集塵フィルタおよび脱臭フィルタ）を介して筐体内に取り込まれるとともに、これらのフィルタによって浄化された空気が上部の吹き出し口から吹き出す。
【００４８】
なお、他の空気清浄機２００ｂ，２００ｃ，２００ｄも空気清浄機２００ａと同様なハードウェア構成を有するため、ここでは、繰り返し説明しない。
【００４９】
また、以下では、説明の便宜上、空気清浄機２００ａ，２００ｂ，２００ｃ，２００ｄ，…のうちの任意の空気清浄機を、単に、「空気清浄機２００」と称する。また、基地局９００ａ，９００ｂ，９００ｄ，…のうちの任意の基地局を、単に、「基地局９００」と称する。さらに、スマートフォン４００ａ，４００ｂ，４００ｄ…のうちの任意のスマートフォンを、単に、「スマートフォン４００」と称する。
【００５０】
図３は、サーバ装置１００の典型的なハードウェア構成を説明するためのブロック図である。図３を参照して、サーバ装置１００は、主たる構成要素として、プログラムを実行するＣＰＵ１５１と、データを不揮発的に格納するＲＯＭ１５２と、ＣＰＵ１５１によるプログラムの実行により生成されたデータ、又は入力装置を介して入力されたデータを揮発的に格納するＲＡＭ１５３と、データを不揮発的に格納するＨＤＤ１５４と、ＬＥＤ１５５と、スイッチ１５６と、通信ＩＦ（Interface）１５７と、電源回路１５８と、ディスプレイ１５９と、操作キー１６０とを含む。各構成要素は、相互にデータバスによって接続されている。
【００５１】
電源回路１５８は、コンセントを介して受信した商用電源の電圧を降圧し、サーバ装置１００の各部に電源供給を行なう回路である。スイッチ１５６は、電源回路１５８に給電を行なうか否かを切替えるための主電源用のスイッチ、およびその他の各種の押しボタンスイッチである。ディスプレイ１５９は、各種のデータを表示するためのデバイスである。
【００５２】
通信ＩＦ１５７は、空気清浄機２００との間の通信を行なためのインターフェイスである。
【００５３】
ＬＥＤ１５５は、サーバ装置１００の動作状態を表す各種の表示ランプである。たとえば、ＬＥＤ１５５は、サーバ装置１００の主電源のオンまたはオフ状態、およびＨＤＤ１５４への読み出しまたは書き込み状態等を表す。操作キー１６０は、サーバ装置１００のユーザがサーバ装置１００へデータを入力するための用いるキー（キーボード）である。
【００５４】
サーバ装置１００における処理は、各ハードウェアおよびＣＰＵ１５１により実行されるソフトウェアによって実現される。このようなソフトウェアは、ＨＤＤ１５４に予め記憶されている場合がある。また、ソフトウェアは、その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、読取装置によりその記憶媒体から読み取られて、あるいは、通信ＩＦ１５７等を介してダウンロードされた後、ＨＤＤ１５４に一旦格納される。そのソフトウェアは、ＣＰＵ１５１によってＨＤＤ１５４から読み出され、ＲＡＭ１５３に実行可能なプログラムの形式で格納される。ＣＰＵ１５１は、そのプログラムを実行する。
【００５５】
同図に示されるサーバ装置１００を構成する各構成要素は、一般的なものである。したがって、本発明の本質的な部分は、ＲＡＭ１５３、ＨＤＤ１５４、記憶媒体に格納されたソフトウェア、あるいはネットワークを介してダウンロード可能なソフトウェアであるともいえる。なお、サーバ装置１００の各ハードウェアの動作は周知であるので、詳細な説明は繰り返さない。
【００５６】
なお、記録媒体としては、ＤＶＤ−ＲＡＭに限られず、ＤＶＤ-ＲＯＭ、ＣＤ−ＲＯＭ、ＦＤ、ハードディスク、磁気テープ、カセットテープ、光ディスク、ＥＥＰＲＯＭ、フラッシュＲＯＭなどの半導体メモリ等の固定的にプログラムを担持する媒体でもよい。また、記録媒体は、当該プログラム等をコンピュータが読取可能な一時的でない媒体である。また、ここでいうプログラムとは、ＣＰＵにより直接実行可能なプログラムだけでなく、ソースプログラム形式のプログラム、圧縮処理されたプログラム、暗号化されたプログラム等を含む。
【００５７】
＜Ｃ．サーバ装置１００の機能＞
（ｃ１．データ管理）
図４は、サーバ装置１００において管理されているデータテーブルＤ４の典型例を表した図である。
【００５８】
図４を参照して、データテーブルＤ４では、空気清浄機２００のＩＤ（識別情報）に関連付けて、空気清浄機２００の設置位置を表す位置情報と、臭気センサ２１２の検出結果と、埃センサ２１３の検出結果とが記憶されている。臭気センサ２１２の検出結果および埃センサ２１３の検出結果は、典型的には、周期的に上書き更新がなされる。
【００５９】
空気清浄機２００の位置情報の取得方法については、複数の方法が挙げられる。説明すると以下のとおりである。
【００６０】
第１の方法として、サーバ装置１００は、メーカのｗｅｂページにおいて受け付けたユーザ登録情報における住所情報を利用して、当該住所を位置情報として利用する。
【００６１】
第２の方法として、サーバ装置１００は、空気清浄機２００から位置情報を受信する。当該位置情報としては、ＧＰＳによる緯度経度を利用できる。この場合、空気清浄機２００は、ＧＰＳ受信アンテンを搭載している必要がある。また、ユーザが操作パネル２１１を用いて郵便番号を入力し、空気清浄機２００が、当該入力された郵便番号をサーバ装置１００に送信する構成であってもよい。この場合、サーバ装置１００は、郵便番号から大まかな住所を取得し、当該住所を位置情報として利用する。
【００６２】
なお、緯度経度情報の送信タイミング、郵便番号の送信タイミングは、特に限定されるものではない。ユーザの送信操作に基づいて、緯度経度情報または郵便番号をサーバ装置１００に送信するように、空気清浄機２００を構成してもよい。あるいは、たとえば、空気清浄機２００は、検出結果を送信するときに用いるデータフレームに、これらの情報を含めてもよい。
【００６３】
また、サーバ装置１００は、緯度経度情報に合わせて、ＧＰＳの高度情報をさらに利用してもよい。
【００６４】
第３の方法として、サーバ装置１００は、無線ルータ（アクセスポイント）の設置場所の情報を位置情報として利用してもよい。第４の方法として、空気清浄機２００が、建物内の他の電子機器（テレビ、スマートフォン）とペアリングを実行することにより、当該他の電子機器の位置情報をサーバ装置１００に送信する構成であってもよい。
【００６５】
以上のように、情報システム１は、サーバ装置１００と複数の空気清浄機２００とを備える。各空気清浄機２００は、空気の汚れ度合いを検出し、かつ当該検出結果をサーバ装置１００に送信する。サーバ装置１００は、当該検出結果を空気清浄機２００のＩＤ（識別情報）に関連付けて管理する。このような構成によれば、サーバ装置１００の運用者は、大気汚染に関する情報を簡易に取得可能となる。
【００６６】
また、サーバ装置１００は、各空気清浄機２００の設置位置を表す位置情報を取得し、かつ、上記検出結果を位置情報にさらに関連付けて管理する。このような構成によれば、サーバ装置１００の運用者は、汚染状況と汚染場所との関連性を知ることが可能となる。
【００６７】
以下、サーバ装置１００が取得した検出結果の利用方法について説明する。
（ｃ２．報知および通知）
サーバ装置１００は、データテーブルＤ４を参照して、以下の各処理のいずれかを実行する。
【００６８】
（１）第１の処理例
サーバ装置１００は、複数の空気清浄機２００の中から、空気の汚れ度合いが予め定められた基準を超える空気清浄機２００を特定する。具体的には、サーバ装置１００は、データテーブルＤ４を参照して、複数の空気清浄機２００の中から、臭気の濃度（値）が基準値以上となっている空気清浄機２００と、埃の濃度が（値）が基準値以上となっている空気清浄機２００とを特定する。なお、臭気の基準値と埃の基準値とは、典型的には、個別に設定されている。
【００６９】
サーバ装置１００は、特定された空気清浄機２００に予め定められた報知を実行させる。具体的には、サーバ装置１００が特定された空気清浄機２００に対して所定の指令を送信することより、サーバ装置１００は、空気が特に汚れていることを空気清浄機２００から音声で出力させる。また、サーバ装置１００は、フィルタ交換を提案する内容を空気清浄機２００から音声にて出力させてもよい。
【００７０】
このような報知を空気清浄機２００に実行させることにより、特定された空気清浄機２００のユーザは、自宅等の建物内の空気が特に汚れていることを、操作パネル２１１の表示で視認する場合に比べて、より明確に認識することができる。なお、上記の音声による内容を、音声の代わりに操作パネル２１１に表示する構成としてもよい。
【００７１】
また、上述した「予め定められた基準」は、地域毎に設定されていてもよい。たとえば、都市部では基準を高めに設定し、田舎等の郊外では基準を低めに設定してもよい。このような構成によれば、地域の特性を考慮した処理が可能となる。なお、サーバ装置１００は、空気清浄機２００がどの地域に属しているのかを位置情報に基づき判断する。
【００７２】
（２）第２の処理例
サーバ装置１００は、特定された空気清浄機２００に予め定められた報知を実行させる代わりに、特定された空気清浄機２００のユーザによって事前に登録されたスマートフォン等の電子機器に対して、予め定められた通知（典型的には、メッセージ）を送信する。具体的には、サーバ装置１００は、空気が特に汚れていることをユーザに通知するための電子メールを当該電子機器宛に送信する。また、サーバ装置１００は、フィルタ交換を提案する内容を含む電子メールを空気清浄機２００宛に送信してもよい。
【００７３】
このような通知を電子機器に対して行うことにより、特定された空気清浄機２００のユーザは、自宅等の建物内の空気が特に汚れていることを、空気清浄機２００以外の手段で認識することができる。なお、サーバ装置１００は、第２の処理例とともに第１の処理例を行ってもよい。
【００７４】
（３）第３の処理例
サーバ装置１００は、同じ地域に設置されている空気清浄機２００のうちから、空気の汚れ度合いが大きいものを順に所定の台数だけ特定する。
【００７５】
サーバ装置１００は、このように空気清浄機２００を特定すると、第１の処理例で説明したのと同じように、空気清浄機２００に予め定められた報知を実行させる。また、第２の処理例で説明したのと同じように、特定された空気清浄機２００のユーザによって事前に登録されたスマートフォン等の電子機器に対して、予め定められた通知を送信するように、サーバ装置１００を構成してもよい。また、この構成の場合、近隣の建物内の空気に比べて、室内（屋内）の空気が汚れていることを報知または通知してもよい。
【００７６】
このような構成によれば、同じ地域内の建物のうち、室内の空気が特に汚れている建物に居住する空気清浄機２００のユーザに対して、注意喚起あるいは提案を行うことが可能となる。
【００７７】
（ｃ３．マップの作成および利用）
サーバ装置１００は、上述した報知または通知に加えて、データテーブルＤ４を参照して、屋内の空気の汚染状況を表した汚染マップと、屋外の空気の汚染状況を表した汚染マップを作成とを作成する。
【００７８】
（１）屋内の空気の汚染状況を表した汚染マップの作成
サーバ装置１００は、各空気清浄機２００の臭気センサ２１２による検出結果および埃センサ２１３による検出結果と、データテーブルＤ４の位置情報と、予め記憶したマップデータＤ５（図６参照）とに基づいて、戸別（建物別）の汚れ度合い（汚染状況）を示したマップを作成する。なお、マップデータＤ５は、住宅等の建物を個別に区分して表示するためのデータである。マップデータＤ５として、たとえば、住宅マップのデータを用いることもできる。
【００７９】
詳しくは、サーバ装置１００は、臭気センサ２１２による検出結果を利用した臭気汚染マップと、埃センサ２１３による検出結果を利用した埃汚染マップと、臭気センサ２１２による検出結果と埃センサ２１３による検出結果とを利用した臭気および埃汚染マップとを作成する。
【００８０】
（i）臭気汚染マップ
サーバ装置１００は、臭気汚染マップを作成する際には、マップにおける建物を表す図形の表示態様を、臭気センサ２１２による検出結果が示す汚染レベルに応じた表示態様に変更する。
【００８１】
たとえば、検出結果が強い臭気を表している場合には、サーバ装置１００は、このような結果を検出した空気清浄機２００が設置されている建物を、第１の態様（たとえば赤色）で表示する。また、検出結果が中程度の臭気を表している場合には、サーバ装置１００は、このような結果を検出した空気清浄機２００が設置されている建物を、第２の態様（たとえば黄色）で表示する。また、検出結果が弱い臭気を表している場合には、サーバ装置１００は、このような結果を検出した空気清浄機２００が設置されている建物を、第３の態様（たとえば緑色）で表示する。
【００８２】
なお、サーバ装置１００は、臭気センサ２１２による検出結果を得ていない建物については、デフォルトの状態（典型的には、白抜き）のままとする。
【００８３】
このような臭気汚染マップによれば、どの建物の室内が臭気によって汚染されているのかを視覚的に容易に判断することが可能となる。
【００８４】
（ii）埃汚染マップ
サーバ装置１００は、埃汚染マップを作成する際には、マップにおける建物を表す図形の表示態様を、埃センサ２１３による検出結果が示す汚染レベルに応じた表示態様に変更する。
【００８５】
図５は、埃汚染マップの一例を示した図である。図５を参照して、サーバ装置１００は、多量の埃を検出した空気清浄機２００が設置されている建物を、第１の態様（図５の場合には、太線のハッチング）で表示する。また、サーバ装置１００は、中程度の量の埃を検出した空気清浄機２００が設置されている建物を、第２の態様（図５の場合には、細線のハッチング）で表示する。さらに、サーバ装置１００は、少量の埃を検出した空気清浄機２００が設置されている建物を、第３の態様（図５の場合には、間隔の広い細線のハッチング）で表示する。
【００８６】
このような埃汚染マップによれば、どの建物の室内が埃によって汚染されているのかを視覚的に容易に判断することが可能となる。
【００８７】
（iii）臭気および埃汚染マップ
サーバ装置１００は、臭気および埃汚染マップを作成する際には、マップにおける建物を表す図形の表示態様を、臭気センサ２１２による検出結果が示す汚染レベルと埃センサ２１３による検出結果が示す汚染レベルとの２つを考慮した表示態様に変更する。たとえば、サーバ装置１００は、臭気による汚染レベルと埃による汚染レベルとの各々を３段階に区分している場合、各汚染レベルを合計することにより、汚染レベルを６段階に区分けする。サーバ装置１００は、マップにおける建物を表す図形の表示態様を、この６段階の区分け（レベル）に応じた表示態様に変更する。
【００８８】
このような埃汚染マップによれば、どの建物の室内が汚染されているのかを視覚的に容易に判断することが可能となる。
【００８９】
（２）屋外の空気の汚染状況を表した汚染マップ
空気清浄機２００の検出結果は、外気に影響される。たとえば、換気などのために窓を開けると、室内に外気中の汚染物質が入り込む。また、玄関の扉の開閉によっても、室内に外気中の汚染物質が入り込む。
【００９０】
それゆえ、空気清浄機２００の検出結果は、外気の汚染と相関が有り得る。特に、同じ地域の複数の空気清浄機２００の検出結果を利用すれば、外気の汚染の状態を判断し得る。
【００９１】
そこで、サーバ装置１００は、データテーブルＤ４を参照して、屋外の空気の汚れ度合い（汚染状況）を表した汚染マップ（以下、「大気汚染マップ」とも称する）を作成する。たとえば、サーバ装置１００は、マップデータＤ５に基づき表示されるマップ全体に、汚染レベルに応じた配色を施す。
【００９２】
サーバ装置は、ある地域における屋外の汚染レベルを決定する際には、一例として、当該地域に設置されている複数の空気清浄機２００による検出結果のうち、特異な検出結果を除いた複数の検出結果の平均を用いることができる。
【００９３】
なお、地域とは、市町村または区よりも小さな区域（たとえば、丁目）も含む。また、一つの地域において得られたデータの数が少ない場合、当該地域よりも大きな地域を１つの地域と設定するように、サーバ装置１００を構成してもよい。
【００９４】
サーバ装置１００によれば、空気清浄機２００による検出結果を利用することにより、大気汚染マップを作成することが可能となる。
【００９５】
また、サーバ装置１００は、上述したようにＧＰＳの高度情報をさらに利用する場合、高度別の大気汚染マップの作成も可能となる。
【００９６】
（３）汚染マップの他の利用方法
作成された汚染マップ（臭気汚染マップ、埃汚染マップ、臭気および埃汚染マップ、大気汚染マップ）を空気清浄機２００のユーザが活用するために、サーバ装置１００は、当該ユーザが所有するスマートフォン３００等の電子機器宛に汚染マップを送信してもよい。
【００９７】
また、作成された汚染マップを第三者が活用するために、当該第三者へ提供（たとえば販売）してもよい。このような提供は、たとえば、サーバ装置１００が、第三者が所有するパーソナルコンピュータ等の情報処理装置宛に汚染マップのデータを送信することにより行うことができる。
【００９８】
特に、臭気汚染マップ、埃汚染マップ、および／または臭気および埃汚染マップを、建物の清掃を請け負っている清掃業者に提供することにより、当該清掃業者は、これらのマップを営業活動に利用することができる。
【００９９】
また、臭気汚染マップ、埃汚染マップ、および／または臭気および埃汚染マップにおいて、建物の汚染状態が長期間変化しない場合、人間が活動していないことが想定される。このため、このようなマップを地方自治体等が利用することにより、高齢者等の安否を確認することができる。なお、このような安否検知をサーバ装置１００が自動的に行う場合には、マップ表示は必ずしも必要でない。
【０１００】
（ｃ４．検出結果の他の利用法）
臭気センサ２１２によって得られた一酸化炭素および二酸化炭素の濃度が基準値以上の場合には、火災が発生していると考えられる。また、温度センサ（図示）による検出結果が基準温度以上の場合にも、火災が発生していると考えられる。
【０１０１】
このため、サーバ装置１００は、これらのセンサの少なくとも１つの検出結果に基づいて、火災の発生を検知する。サーバ装置１００は、火災が発生していると判断した場合、最寄りの消防署および警察署と、火災が発生している建物の住人のスマートフォン等の電子機器とに、火災が発生している旨を通知する。このように、サーバ装置１００は、火災検知器としても機能することができる。
【０１０２】
＜Ｄ．機能的構成＞
図６は、サーバ装置１００の機能的構成を表したブロック図である。図６を参照して、サーバ装置１００は、制御部１１０と、記憶部１２０と、通信処理部１３０とを備える。
【０１０３】
制御部１１０は、管理部１１１と、特定部１１２と、メッセージ生成部１１３と、指令生成部１１４と、マップ生成部１１５とを備える。記憶部１２０は、データテーブルＤ４（図４参照）と、マップデータＤ５と、スマートフォン３００等の通知先となる電子機器のメールアドレスを表すアドレスデータＤ６とを記憶している。通信処理部１３０は、受信部１３１と、送信部１３２とを備える。
【０１０４】
アドレスデータＤ６においては、各メールアドレスに対して空気清浄機２００のＩＤが関連付けられている。アドレスデータＤ６とデータテーブルＤ４とにより、各メールアドレスと、各空気清浄機２００の位置情報と、臭気センサ２１２による検出結果と、埃センサ２１３による検出結果とが関連付けられる。なお、データテーブルＤ４において、上記各メールアドレスを管理してもよい。
【０１０５】
通信処理部１３０は、各空気清浄機２００および各基地局９００と通信するためのインターフェイスである。通信処理部１３０は、図３の通信インターフェイス１５７に対応する。
【０１０６】
受信部１３１は、各空気清浄機２００から、臭気センサ２１２による検出結果と、埃センサ２１３による検出結果とを受信する。受信部１３１は、これらの検出結果を制御部１１０に送る。
【０１０７】
制御部１１０は、サーバ装置１００の全体的な動作を制御する。制御部１１０は、図３のＣＰＵ１５１がＲＡＭ１５３に展開されたプログラム等を実行することにより実現される。
【０１０８】
管理部１１１は、各空気清浄機２００から受信した臭気センサ２１２による検出結果と埃センサ２１３による検出結果とを、空気清浄機２００のＩＤ（識別情報）と空気清浄機２００の位置情報とに関連付けて管理する。具体的には、管理部１１１は、図４に示したデータテーブルＤ４を更新することにより、各空気清浄機２００による検出結果を管理する。
【０１０９】
特定部１１２は、複数の空気清浄機２００の中から、空気の汚れ度合いが予め定められた基準を超える空気清浄機２００を特定する。また、特定部１１２は、同じ地域に設置されている空気清浄機２００のうちから、空気の汚れ度合いが大きいものを順に所定の台数だけ特定する。
【０１１０】
メッセージ生成部１１３は、スマートフォン４００等の電子機器に対して送信するメッセージ（典型的には、電子メール）を生成する。生成するメッセージについては、上記の“（ｃ２．報知および通知）”における“（第２の処理例）”の項目で説明したため、ここでは説明を繰り返さない。
【０１１１】
メッセージ生成部１１３は、生成されたメッセージを送信部１３２に送る。具体的には、メッセージ生成部１１３は、生成されたメッセージと、特定部１１２によって特定された空気清浄機２００のＩＤに関連付けられたメールアドレスとを含むデータを、送信部１３２に送る。この場合、送信部１３２は、このデータをメールアドレスが示すスマートフォン４００等に送信する。
【０１１２】
指令生成部１１４は、特定された空気清浄機２００に予め定められた報知を実行させるために、上述した所定の指令を生成する。この指令は、送信部１３２によって、上記特定された空気清浄機２００宛に送信される。これにより、指令を受けた空気清浄機２００は、予め定められた報知を実行する。予め定められた報知については、上記の“（ｃ２．報知および通知）”における“（第１の処理例）”の項目で説明したため、ここでは説明を繰り返さない。
【０１１３】
マップ生成部１１５は、データテーブルＤ４とマップデータＤ５とに基づいて、臭気汚染マップと、埃汚染マップと、臭気および埃汚染マップと、大気汚染マップとを生成する。生成されたマップは、送信部１３２を介して、“（ｃ３．マップの作成および利用）”の項目で説明したように所定の情報処理装置宛に送信される。なお、生成されたマップは、ＤＶＤ−ＲＯＭまたはＵＳＢ（Universal Serial Bus）メモリ等の記憶媒体によって、清掃業者等の第三者に提供されてもよい。
【０１１４】
＜Ｅ．制御構造＞
図７は、ある局面において情報システム１で実行される処理の流れを説明するためのシーケンス図である。図７を参照して、シーケンスＳ１において、空気清浄機２００ａは、臭気センサ２１２による検出結果と埃センサ２１３による検出結果とをサーバ装置１００に送信する。シーケンスＳ２において、空気清浄機２００ｂは、臭気センサ２１２による検出結果と埃センサ２１３による検出結果とをサーバ装置１００に送信する。
【０１１５】
同様に、シーケンスＳ３において、空気清浄機２００ｂは、臭気センサ２１２による検出結果と埃センサ２１３による検出結果とをサーバ装置１００に送信する。シーケンスＳ４において、空気清浄機２００ｄは、臭気センサ２１２による検出結果と埃センサ２１３による検出結果とをサーバ装置１００に送信する。
【０１１６】
シーケンスＳ５において、サーバ装置１００は、これらの検出結果によって、データテーブルＤ４のデータ更新を行う。シーケンスＳ６において、サーバ装置１００は、上述した４種類のマップを作成する。シーケンスＳ７において、サーバ装置１００は、複数の空気清浄機２００の中から、特定部１１２によって空気清浄機２００を特定する。当該特定処理については既に説明したので、ここでは繰り返し説明しない。
【０１１７】
この局面において、たとえば、空気清浄機２００ｂ，２００ｃが特定された場合、シーケンスＳ８において空気清浄機２００ｂに報知処理を実行させるために、空気清浄機２００ｂに対して所定の指令を送信する。また、シーケンスＳ９において空気清浄機２００ｃに報知処理を実行させるために、空気清浄機２００ｃに対して所定の指令を送信する。
【０１１８】
さらに、アドレスデータＤ６において空気清浄機２００ｂのＩＤに対してスマートフォン４００ｂのメールアドレスが関連付けられている場合、シーケンスＳ１０に示すように、サーバ装置１００は、スマートフォン４００ｂに対して上述した電子メールを送信する。
【０１１９】
シーケンスＳ１１，Ｓ１２，Ｓ１３，Ｓ１４においては、シーケンスＳ１，Ｓ２，Ｓ３，Ｓ４と同様の処理が実行される。
【０１２０】
［実施の形態２］
本実施の形態では、サーバ装置１００は、上述した４つの汚染マップに加えて、予め定められた時間後の大気汚染マップを作成する。
【０１２１】
図８は、本実施の形態に係る情報システム１Ａの概略構成を表した図である。図８を参照して、情報システム１Ａは、サーバ装置１００に通信可能に接続されたサーバ装置５００をさらに備える点が、実施の形態１に係る情報システム１（図１）と異なる。
【０１２２】
サーバ装置５００は、気象庁または気象会社が運用している装置である。サーバ装置５００には、全国各地の気象情報が記憶されている。
【０１２３】
サーバ装置１００は、サーバ装置５００から、地域毎の風の情報を取得する。具体的には、サーバ装置１００は、風速と風向きとの情報を取得する。サーバ装置１００は、風の情報と、臭気センサ２１２および埃センサによる検出結果とに基づいて、予め定められた時間が経過した後の屋外の空気の汚染状況を表したと予測マップをさらに作成する。たとえば、サーバ装置１００は、１時間後の予測マップを地域別に作成する。
【０１２４】
サーバ装置１００は、典型的には、各スマートフォン４００に対して、空気清浄機が設置されている地域の予測マップを送信する。なお、サーバ装置１００は、予測マップを、清掃業者等に送信してもよい。
【０１２５】
このような構成によれば、各空気清浄機２００のユーザは、予め定められた時間が経過した後の外気の汚染状況を予め知ることができる。したがって、汚染が酷くなることが予測されている場合には、ユーザは、空気清浄機２００の動作モードを清浄機能が強くなるモードに変更したり、窓の開閉を控えるなどの事前の対応を採ることができる。
【０１２６】
［実施の形態３］
本実施の形態ではサーバ装置１００は、屋内（室内）の空気の汚れ度合いと、屋外の空気（外気）の汚れ度合いとを用いて、室内の空気が局所的に汚れている建物を探す。
【０１２７】
たとえば、サーバ装置１００は、上述したデータテーブルＤ４に示された臭気センサ２１２および埃センサ２１３による検出結果と、屋外の空気（外気）の汚れ度合とを比較する。詳しくは、サーバ装置１００は、地域毎の大気汚染の測定結果を記憶しているサーバ装置から当該測定結果を取得し、複数の空気清浄機２００の中から、検出結果が測定結果よりも基準値以上高い空気清浄機２００を特定する。
【０１２８】
このような比較を行うのは、地域によっては、外気の汚れ度合いが異なるためである。たとえば、都市部と郊外とでは、都市部の方が外気の汚染度合いが強い。このような地域事情を考慮するために、サーバ装置１００は外気の汚れ度合いを利用する。
【０１２９】
なお、本実施の形態では、サーバ装置５００の代わりに、国（環境省）によって運用されている大気汚染物質広域監視システムを利用することができる。具体的には、サーバ装置１００が、大気汚染物質広域監視システムのサーバ装置から、各地の屋外の空気（外気）の汚れ度合を表す情報を取得する。
【０１３０】
サーバ装置１００は、外気よりも室内の空気が基準値以上汚れている建物の位置を、空気清浄機２００の位置情報を用いて特定する。空気清浄機２００を運転していれば、通常は、屋内の空気の方が外気よりも汚れていないはずである。それにもかかわらず、室内の空気の方が外気よりも汚れている理由として、空気清浄機２００のフィルターが劣化しているためか、室内の掃除が適切になされていないことなどが挙げられる。
【０１３１】
それゆえ、このように局所的に汚れている建物の情報を利用することにより、各種のビジネスを展開可能となる。たとえば、このような情報を清掃業者に販売することができる。また、空気清浄機２００のメーカは、ユーザに対してフィルタの交換を促すことができる。たとえば、サーバ装置１００は、ユーザのスマートフォン４００等に対して、フィルタの交換を提案する電子メールを送ることができる。あるいは、サーバ装置１００は、局所的に汚れている室内に設置された空気清浄機２００に指令を送ることにより、空気清浄機２００のスピーカ２１４から、フィルタ交換を促す音声を出力させる。このような構成によれば、室内の空気をきれいに保つことが可能となる。
【０１３２】
［実施の形態４］
本実施の形態では、実施の形態３に示した大気汚染物質広域監視システムを利用しない構成について説明する。
【０１３３】
図９は、本実施の形態に係る情報システム１Ｂの概略構成を表した図である。図９を参照して、情報システム１Ｂは、複数の空気調和機６００ａ，６００ｂ，６００ｃ，６００ｄ，…をさらに備える点において、実施の形態１に係る情報システム１とは異なる。
【０１３４】
空気調和機６００ａは、空気清浄機２００ａと同じ建物に設置されている。空気調和機６００ａは、室内機６０１ａと室外機６０２ａとを備える。室外機６０２ａには、臭気センサと埃センサとが設けられている。つまり、臭気センサと埃センサとは、空気清浄機２００が備えられた室内の外に設置されている。
【０１３５】
臭気センサは、外気の汚れの原因となるガス（粒子）の濃度を検出する。埃センサは、外気の汚れの原因となる埃の量を検出することにより、埃の濃度を検出する。臭気センサによる検出結果および埃センサによる検出結果は、室内機６０１ａおよび無線ルータ３００ａを介して、サーバ装置１００に周期的に送信される。なお、空気清浄機２００の検出結果の送信周期Ｔｄが長い場合には、室外機６０２ａによる検出結果の送信と、空気清浄機２００の検出結果の送信とが同期が取れていることが好ましい。
【０１３６】
空気調和機６００ｂは、室内機６０１ｂと室外機６０２ｂとを備える。空気調和機６００ｃは、室内機６０１ｃと室外機６０２ｃとを備える。空気調和機６００ｄは、室内機６０１ｄと室外機６０２ｄとを備える。室外機６０２ｂ，６０２ｃ，６０２ｄは、室外機６０２ａと同様に臭気センサと埃センサとを備え、室外機６０２ａと同様に検出結果をサーバ装置１００に送信する。
【０１３７】
サーバ装置１００は、室外機６０２ａ，６０２ｂ，６０２ｃ，６０２ｄ，…から取得した検出結果を、地域毎の大気汚染の測定結果として利用する。これにより、サーバ装置１００は、大気汚染物質広域監視システムのサーバ装置から、各地の屋外の空気（外気）の汚れ度合を表す情報を取得する必要がなくなる。
【０１３８】
このような構成によっても、実施の形態３と同様な効果を得ることができる。
［実施の形態５］
上記の各実施の形態においては、各空気清浄機２００が周期的に検出結果をサーバ装置１００に送信する構成を例に挙げて説明したが、これに限定されるものではない。
【０１３９】
空気清浄機２００は、周期的に検査結果をサーバ装置１００に送信するとともに、検出結果が予め定められた閾値を超えた場合には、周期Ｔｄ（図７参照）の到来を待たずに検出結果をサーバ装置１００に送信する。
【０１４０】
このような構成によれば、サーバ装置１００は、臭気汚染マップ、埃汚染マップ、臭気および埃汚染マップ、大気汚染マップを、現状に即してより正確に作成することができる。
【０１４１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１４２】
１，１Ａ，１Ｂ  情報システム、１００，５００  サーバ装置、２００，２００ａ，２００ｂ，２００ｃ，２００ｄ  空気清浄機、３００ａ，３００ｂ，３００ｃ，３００ｄ  無線ルータ、４００，４００ａ，４００ｂ，４００ｄ  スマートフォン、６００ａ，６００ｂ，６００ｃ，６００ｄ  空気調和機、６０１ａ，６０１ｂ，６０１ｃ，６０１ｄ  室内機、６０２ａ，６０２ｂ，６０２ｃ，６０２ｄ  室外機、７００  ネットワーク、８００ａ，８００ｂ，８００ｃ，８００ｄ，９００ｄ  建物、９００，９００ａ，９００ｂ，９００ｄ  基地局、Ｄ４  データテーブル、Ｄ５  マップデータ、Ｄ６  アドレスデータ。
【図１】
2018132989.tif 000003
【図２】
2018132989.tif 000004
【図３】
2018132989.tif 000005
【図４】
2018132989.tif 000006
【図５】
2018132989.tif 000007
【図６】
2018132989.tif 000008
【図７】
2018132989.tif 000009
【図８】
2018132989.tif 000010
【図９】
2018132989.tif 000011